(57)【要約】異なるバージョンのホームロケーションレジスタ及びＧＭＬＣによるロケーションリクエストの効率的な処理は移動無線ネットワークの加入者に関する位置データリクエスト（ロケーションリクエスト）の処理のための方法によって可能となり、移動無線ネットワークの加入者データバンク（ＨＬＲ）におけるスイッチング装置（ＭＳＣ／ＳＧＳＮ／Ｖ−ＧＭＬＣ）のスイッチング装置アドレスデータ（ＭＡＰ（ＭＳＣ／ＳＧＳＮ／Ｖ−ＧＭＬＣ））をもとめる第１のロケーションリクエスト処理装置（ＧＭＬＣ−Ｒ５）のリクエスト（ＳＲＩ）の到着の後で、このリクエスト（ＳＲＩ）が、ロケーションリクエスト処理装置（ＧＭＬＣ−Ｒ５）が加入者データバンク（ＨＬＲ）からスイッチング装置アドレスデータ（ＭＡＰ（ＭＳＣ／ＳＧＳＮ））を応答として取得するように規定するバージョン（Ｒ５）のロケーションリクエスト処理装置（ＧＭＬＣ−Ｒ５）のリクエスト（ＳＲＩ）である場合には、前記加入者データバンク（ＨＬＲ）はこの第１のロケーションリクエスト処理装置（ＧＭＬＣ−Ｒ５）にスイッチング装置アドレスデータ（ＭＡＰ（ＭＳＣ／ＳＧＳＮ））の代わりに応答（ＡＣＫ（ＭＳＣ（ＳＧＳＮ）））において更に別のロケーションリクエスト処理装置（Ｈ−ＧＭＬＣ−Ｒ６）のアドレス（Ｈ−ＨＧＭＬＣ）を表すロケーションリクエスト処理装置アドレスデータ（ＭＡＰ（Ｈ−ＧＭＬＣ）を指示し、前記スイッチング装置（ＭＳＣ／ＳＧＳＮ／Ｖ−ＧＭＬＣ）を介して加入者（ＭＳ）には瞬時に到達可能である。
2005536165.tif 000002
【特許請求の範囲】
【請求項１】
移動無線ネットワークの加入者に関する位置データリクエスト（ロケーションリクエスト）の処理のための方法において、
移動無線ネットワークの加入者データバンク（ＨＬＲ）におけるスイッチング装置（ＭＳＣ／ＳＧＳＮ／Ｖ−ＧＭＬＣ）のスイッチング装置アドレスデータ（ＭＡＰ（ＭＳＣ／ＳＧＳＮ／Ｖ−ＧＭＬＣ））をもとめる第１のロケーションリクエスト処理装置（ＧＭＬＣ−Ｒ５）のリクエスト（ＳＲＩ）の到着の後で、
このリクエスト（ＳＲＩ）が、ロケーションリクエスト処理装置（ＧＭＬＣ−Ｒ５）が加入者データバンク（ＨＬＲ）からスイッチング装置アドレスデータ（ＭＡＰ（ＭＳＣ／ＳＧＳＮ））を応答として取得するように規定するバージョン（Ｒ５）のロケーションリクエスト処理装置（ＧＭＬＣ／Ｒ５）のリクエスト（ＳＲＩ）である場合には、
前記加入者データバンク（ＨＬＲ）はこの第１のロケーションリクエスト処理装置（ＧＭＬＣ−Ｒ５）にスイッチング装置アドレスデータ（ＭＡＰ（ＭＳＣ／ＳＧＳＮ））の代わりに応答（ＡＣＫ（ＭＳＣ（ＳＧＳＮ）））において更に別のロケーションリクエスト処理装置（Ｈ−ＧＭＬＣ−Ｒ６）のアドレス（Ｈ−ＨＧＭＬＣ）を表すロケーションリクエスト処理装置アドレスデータ（ＭＡＰ（Ｈ−ＧＭＬＣ）を指示し、
前記スイッチング装置（ＭＳＣ／ＳＧＳＮ／Ｖ−ＧＭＬＣ）を介して加入者（ＭＳ）には瞬時に到達可能である、移動無線ネットワークの加入者に関する位置データリクエスト（ロケーションリクエスト）の処理のための方法。
【請求項２】
更に別のロケーションリクエスト処理装置（Ｈ−ＧＭＬＣ−Ｒ６）は加入者（ＭＳ）のホームネットワークの中のロケーションリクエスト処理装置であることを特徴とする、請求項１記載の方法。
【請求項３】
更に別のロケーションリクエスト処理装置（Ｈ−ＧＭＬＣ）は加入者（ＭＳ）のプロフィールデータ、とりわけ「プライバシープロフィールデータ」を格納しており、該「プライバシープロフィールデータ」は前記加入者（ＭＳ）に関する「ロケーションリクエスト」が処理及び／又は応答されるべきかどうか及びどのような条件下で処理及び／又は応答されるべきかを指示することを特徴とする、請求項１又は２記載の方法。
【請求項４】
より古いバージョンのロケーションリクエスト処理装置（ＧＭＬＣ−Ｒ５）はリクエスト（ＳＲＩ）を加入者データデータバンク（ＨＬＲ）に前記ロケーションリクエスト処理装置（ＧＭＬＣ−Ｒ５）おけるＬＣＳクライアント（ＬＣＳ  ｃｌｉｅｎｔ）のリクエストの入力の後で送信することを特徴とする、請求項１〜３のうちの１項記載の方法。
【請求項５】
ロケーションリクエスト処理装置（ＧＭＬＣ−Ｒ５）は更に別のロケーションリクエスト処理装置（Ｈ−ＧＭＬＣ）のアドレス（ＭＡＰ（Ｈ−ＧＭＬＣ）にロケーションリクエストを送信し、この更に別のロケーションリクエスト処理装置（Ｈ−ＧＭＬＣ−Ｒ６）はこのロケーションリクエストをスイッチング装置（ＭＳＣ−ＳＧＳＮ）のアドレスに転送し、該スイッチング装置（ＭＳＣ−ＳＧＳＮ）は加入者データデータバンク（ＨＬＲ  Ｒ６）における前記更に別のロケーションリクエスト処理装置（Ｈ−ＧＭＬＣ−Ｒ６）のリクエスト（ＳＲＩ）に応答して加入者データバンク（ＨＬＲ）によって前記更に別のロケーションリクエスト処理装置（Ｈ−ＧＭＬＣ−Ｒ６）に指示されたものであることを特徴とする、請求項１〜４のうちの１項記載の方法。
【請求項６】
ロケーションリクエストは加入者（ＭＳ）を識別する位置確認すべき加入者のデータ（ＩＭＳＩ／ＭＳＩＳＤＮ／ｅｔｃ）を含むことを特徴とする、請求項１〜５のうちの１項記載の方法。
【請求項７】
ロケーションリクエスト処理装置アドレスデータはスイッチング装置アドレスデータと同じフォーマットを、とりわけＩＳＤＮフォーマット又はＭＡＰデータフォーマットを有することを特徴とする、請求項１〜６のうちの１項記載の方法。
【請求項８】
ロケーションリクエスト処理装置のバージョンは加入者データバンク（ＨＬＲ）によってリクエスト（ＳＲＩ）の拡張されないフォーマットに基づいて識別されることを特徴とする、請求項１〜７のうちの１項記載の方法。
【請求項９】
ロケーションリクエスト処理装置（ＧＭＬＣ−Ｒ５）のバージョンは利用されるＬｈインターフェースに基づいて識別されることを特徴とする、請求項１〜８のうちの１項記載の方法。
【請求項１０】
更に別のロケーションリクエスト処理装置（Ｈ−ＧＭＬＣ−Ｒ６）において加入者のプロフィールデータはこの加入者に関してロケーションリクエストが実行されるべきかが検査され、この加入者のプロフィールデータに基づいてこの加入者に関するロケーションリクエストが実行されるべきである場合にだけ、前記更に別のロケーションリクエスト処理装置（Ｈ−ＧＭＬＣ−Ｒ６）がこの更に別のロケーションリクエスト処理装置に指示されたスイッチング装置（ＭＳＣ／ＳＧＳＮ）にコンタクトすることを特徴とする、請求項１〜９のうちの１項記載の方法。
【請求項１１】
請求項１〜１０のうちの１項記載の方法を実施するための装置（ＨＬＲ−Ｒ６）。
【発明の詳細な説明】
【技術分野】
【０００１】
本発明はスイッチング装置（ＭＳＣ／ＳＧＳＮ）のアドレスに関するリクエスト（ロケーションリクエスト）の処理のための方法及び装置に関し、このスイッチング装置（ＭＳＣ／ＳＧＳＮ）を介して移動無線ネットワークの加入者には瞬時に到達可能である。
【０００２】
Http://www.3GPP.orgにおいて自由に利用可能な文書３ＧＰＰ２３．２７１から、ＧＭＬＣ（ゲートウェイモバイルロケーションセンタ＝ロケーションリクエスト装置）における移動無線ネットワークの加入者に瞬時に到達できるようにするスイッチング装置ＭＳＣ／ＳＧＳＮに関するＬＣＳクライアント（ロケーションサービシズクライアント（Location services client））のロケーションリクエスト問い合わせ（例えば移動無線加入者の位置のような位置関連データの問い合わせ）に応じて、このＧＭＬＣは加入者を瞬時に管轄しているスイッチング装置のアドレスをホームロケーションレジスタ（ＨＬＲ）に問い合わせる。ＧＭＬＣ−Ｒ５（バージョンＲ５又はより古いバージョンのＧＭＬＣ）はＳＲＩリクエスト（ＳＲＩ＝送信ルーティング情報（send routing information）＝例えばＭＡＰデスティネーションアドレス等々のようなルーティング情報を送信する要求）によって移動無線ネットワークの加入者データバンク（ＨＬＲ−Ｒ４／Ｒ５）にスイッチング装置（ＭＳＣ、ＳＧＳＮ又はそこに配置された加入者データバンク（ＶＬＲ）のようなもの）のアドレスを問い合わせる。このスイッチング装置を介して（ＭＳＩＳＤＮ又はＩＭＳＩ等々と呼ばれる）加入者（ＭＳ）には瞬時に到達可能である。この問い合わせに応じて、ホームロケーションレジスタ（ＨＬＲ／Ｒ４／Ｒ５）は応答（Ａｃｋ（ＳＧＳＮ）／Ａｃｋ／ＭＳＣ）においてスイッチング装置（ＭＳＣ／ＳＧＳＮ）の（ＭＡＰ−／ＩＳＤＮ−）アドレスを表すデータをロケーションリクエスト装置（ＧＭＬＣ−Ｒ５）に返信し、このロケーションリクエスト装置（ＧＭＬＣ−Ｒ５）はこれに基づいてロケーションリクエスト関連データをＬｇインターフェースを介してこのロケーションリクエスト装置（ＧＭＬＣ−Ｒ５）にＨＬＲによって指示されたこのスイッチング装置（ＭＳＣ／ＳＧＳＮ）へそこでの後続処理（瞬時のＭＳ位置の位置検出及び／又は他のサービス）のために送信する（図２）。
【０００３】
ホームＧＭＬＣの発展によって、ホームデータバンクにおける第１のＧＭＬＣ（Ｒ−ＧＭＬＣ）のリクエストに応じて、スイッチング装置（ＭＳＣ／ＳＧＳＮ）又はＨ−ＧＭＬＣのアドレスデータを加入者のホームネットワークに伝送することが可能となり（図３）、Ｈ−ＧＭＬＣにおいてそこに格納されたプライバシー機能等々に関するプライバシーデータが検査及び考慮されうる。Ｈ−ＧＭＬＣから（これが加入者のプライバシーデータに基づいて有意味である限り）これらのデータは例えば加入者により訪問されるネットワーク又はホームネットワークにおけるスイッチング装置（ＭＳＣ／ＳＧＳＮ）へと後続処理のために伝送される。しかし、このヴァリアントにおいては次のような問題が生じる。すなわち、より古いバージョンのＨＬＲ及びＧＭＬＣ（例えばＧＭＬＣ−Ｒ５）はロケーションリクエストを後続処理する更に別のＧＭＬＣ（Ｈ−ＧＭＬＣ  Ｒ６）の図３において伝達される指示を処理できない。
【０００４】
本発明の課題は、できるだけ効率的により新しいバージョンのホームロケーションレジスタ（例えばＨＬＲ  Ｒ６）によるロケーションリクエストの処理をより古いバージョンのＧＭＬＣ（ＧＭＬＣ−Ｒ５）によっても可能にすることである。この課題は独立請求項の対象によって解決される。
【０００５】
本発明によれば、より新しいバージョンのホームロケーションレジスタ（ＨＬＲ−Ｒ６）におけるより古いバージョン（リリース５）のロケーションリクエスト処理装置（ＧＭＬＣ−Ｒ５）のリクエストの到着の際に、応答（Ａｃｋ（ＭＳＣ及び／又はＳＧＳＮ））がこのＧＭＬＣ−Ｒ５が理解する形式でこのロケーションリクエスト処理装置（ＧＭＬＣ−Ｒ５）に伝達され、この結果、これ（ＧＭＬＣ−Ｒ５）が図２によればロケーションリクエストの後続処理のためにコンタクトしなくてはならないスイッチング装置（ＭＳＣ／ＳＧＳＮ）のアドレスデータがこのＧＭＬＣ−Ｒ５に指示されることによって、このＧＭＬＣ−Ｒ５は従来のやり方でＨＬＲの応答で指示されたアドレスの下で到達可能なエレメントにコンタクトする。しかし、この場合このエレメントは（従来のように）ＭＳＣ／ＳＧＳＮではなく、図１におけるより新しいバージョンのロケーションリクエスト処理装置（Ｈ−ＧＭＬＣ  Ｒ６）であり、このより新しいバージョンのロケーションリクエスト処理装置（Ｈ−ＧＭＬＣ  Ｒ６）はＨＬＲ  Ｒ６からの更なるデータ（Ａｃｋ．．．．．及び場合よってはプライバシーデータ）の到着の後で図１のスイッチング装置（ＭＳＣ／ＳＧＳＮ／Ｖ−ＧＭＬＣ）にコンタクトし、そこでロケーションリクエストの後続処理を促す。従って、図１のホームデータバンク（ＨＬＲ−Ｒ６）は、規格に従ってより古いバージョンのロケーションリクエスト処理装置（ＧＭＬＣ−Ｒ５）にＭＳＣ／ＳＧＳＮのスイッチング装置アドレスデータを指示（Ａｃｋ（ＳＧＳＮ及び／又はＭＳＣ））（図２参照）するメッセージのフォーマットによりこのメッセージＡｃｋ（，，，，）のアドレスフィールドにおいてこのＨ−ＧＭＬＣ−Ｒ６のアドレスを送信し、これが指示されたこの更に別のロケーションリクエスト処理装置（Ｈ−ＧＭＬＣ−Ｒ６）とのコンタクトをロケーションリクエスト処理装置（ＧＭＬＣ−Ｒ５）に促す。この場合、この第１のロケーションリクエスト処理装置（ＧＭＬＣ−Ｒ５）には、自分が実際には（図２の）スイッチング装置ＭＳＣ／ＳＧＳＮの代わりに図１の更に別のロケーションリクエスト処理装置Ｈ−ＧＭＬＣ−Ｒ６にコンタクトしていることは分かっていない。他方でこの更に別のロケーションリクエスト処理装置Ｈ−ＧＭＬＣ−Ｒ６が（場合によってはＨＬＲ  Ｒ６のプライバシープロフィールデータを考慮に入れて）このＨ−ＧＭＬＣ−Ｒ６がＨＬＲ  Ｒ６からのメッセージＡｃｋ（Ｖ−ＧＭＬＣ又はＭＳＣ又はＳＧＳＮ）により受け取るスイッチング装置アドレスの下にスイッチング装置ＭＳＣ／ＳＧＳＮにコンタクトする。
【０００６】
とりわけ有利な実施形態は従属請求項から得られる。
【０００７】
よって、例えば有利には、ホームＧＭＬＣ（Ｈ−ＧＭＬＣ−Ｒ６）におけるロケーションリクエストの処理の際に、このロケーションリクエストが実行されるべき加入者に関する格納されたプロフィールデータが考慮されうる。これは、とりわけ端末又は加入者又は加入者アイデンティティカードに関して格納されているプライバシープロフィールデータであり、この加入者に関して位置検出が処理及び／又は応答されうるかどうか及びどのような条件下でこの加入者に関して位置検出が処理及び／又は応答されうるかを指示する。
【０００８】
本発明の更なる特徴及び利点は図面に基づく従来技術及び実施例の以下の記述から得られる。
【０００９】
この場合、
図１は概略的に古いバージョンのエレメントによるロケーションリクエストの処理のための移動無線ネットワークのコンポーネントと新しいバージョンのエレメントによるロケーションリクエストの処理のための移動無線ネットワークのコンポーネントとの本発明による共働を示し、
図２は従来技術におけるより古いバージョンのＧＭＬＣ−Ｒ５によるロケーションリクエストの処理を示し、
図３はより新しいバージョンのＨＬＲ−Ｒ６及びＲ−ＧＭＬＣ  Ｒ６によるロケーションリクエストの処理を示す。
【００１０】
既に冒頭に記述された図２によるロケーションリクエスト（加入者の位置に関するリクエスト）の処理はロケーションリクエスト処理装置ＧＭＬＣ及び加入者データバンク（ＨＬＲ−Ｒ５）の今日通用しているバージョン（プロダクトバージョン）に適している。さらに冒頭に記述したように、図３によるロケーションリクエストの可能な処理は、図３に示されたＲ−ＧＭＬＣ−Ｒ６の代わりにＧＭＬＣ−Ｒ５が存在する場合には問題である。なぜなら、これは更に別のロケーションリクエスト装置Ｈ−ＧＭＬＣ−Ｒ６の図３に示された指示「Ａｃｋ（Ｈ−ＧＭＬＣ）」を解釈及び処理できないからである。
【００１１】
それゆえ、図１によれば新しいバージョンのホームロケーションレジスタＨＬＲ  Ｒ６によってそこにこの（より古い）バージョンの第１のロケーションリクエスト処理装置ＧＭＬＣ−Ｒ５のリクエストが到着した際に、この第１のロケーションリクエスト処理装置ＧＭＬＣ−Ｒ５はこのリクエストに対する加入者データバンク（ＨＬＲ）からの応答としてスイッチング装置（ＭＳＣ／ＳＧＳＮ等々）のアドレスに関するアドレスデータの指示（Ａｃｋ−Ｈ−ＧＭＬＣ）を予期しているが、このより古いバージョンの第１のロケーションリクエスト処理装置ＧＭＬＣ−Ｒ５には更に別のロケーションリクエスト処理装置（Ｈ−ＧＭＬＣ−Ｒ６）のアドレスがデータフィールドにおいて指示される。このデータフィールドには、さもなければ、スイッチング装置のアドレスが指示される。この場合、この更に別のロケーションリクエスト処理装置Ｈ−ＧＭＬＣのロケーションリクエスト処理装置アドレスの指示においては、第１のロケーションリクエスト処理装置ＧＭＬＣ−Ｒ５がスイッチング装置（ＭＳＣ／ＳＧＳＮ等々）のアドレスの指示（Ａｃｋ−Ｈ−ＧＭＬＣ）を予期している際のフォーマットが使用される。
【００１２】
ＧＭＬＣ−Ｒ５はこの（ＧＭＬＣアドレスのために設けられた）アドレスフィールドにおいて指示されるスイッチング装置（ＭＳＣ及び／又はＳＧＳＮ）のアドレスを解釈し、自分（ＧＭＬＣ−Ｒ５）はこのアドレスにより指示されたスイッチング装置にロケーションリクエストの後続処理のためにコンタクトしなければならないと結論する。しかし、この場合、このＧＭＬＣ−Ｒ５は図１によれば更に別のロケーションリクエスト処理装置Ｈ−ＧＭＬＣ−Ｒ６にコンタクトし、この更に別のロケーションリクエスト処理装置Ｈ−ＧＭＬＣ−Ｒ６は（このＨ−ＧＭＬＣ−Ｒ６にとっては従来のやり方で）図２に従って自分にこのように伝達されたデータ及び自分にＨＬＲ−Ｒ６から伝達されるデータに基づいて場合によっては図１のＬｇ+**インターフェースを介して自分に指示されたスイッチング装置ＭＳＣ／ＳＧＳＮにコンタクトすることによってロケーションリクエストを後続処理する。
【００１３】
これによって、本発明では、より古いバージョンのロケーションリクエスト処理装置ＧＭＬＣ−Ｒ５がより新しいバージョンのホーム加入者データバンクＨＬＲ−Ｒ６及びより新しいバージョンの更に別のロケーションリクエスト処理装置（Ｈ−ＧＭＬＣ−Ｒ６）と共に効率的に動作されうる。この場合、場合によっては新しいバージョンのロケーションリクエスト処理装置（Ｈ−ＧＭＬＣ−Ｒ６）に格納された加入者に関するプロフィールデータ、とりわけプライバシープロフィールデータを考慮することが可能である。とりわけこのようなプライバシープロフィールデータは、加入者に対して原則的に又はそのロケーションに依存して又は発呼者に依存して又はその他の条件に依存して又は別のやり方でロケーションリクエストが処理及び／又は応答されうるかを指示することができる。従って、これもより古いバージョンのＧＭＬＣ−Ｒ５との共働において可能なのである。
【００１４】
例えば、このプロセスはセルラー移動無線ネットワークの加入者のリクエストに応じて実行され、この加入者にはセルラー移動無線ネットワークの他の加入者の位置を表すデータが（場合によってはこの他の加入者のプロフィールデータがそれを許可する場合に限ってのみ）伝送されうる。リクエストはこの場合例えばリクエストを出した加入者からとりわけエアーインターフェース及びスイッチング装置を介して図１に示されたＬＣＳクライアントに送信され、図１によればさらにそこからリクエストを出した加入者にセルラー移動無線ネットワークの他の加入者の位置を表すデータが（例えばＳＭＳ、ＭＭＳ、カード等々によって）伝達されうる。
【００１５】
スイッチング装置（ＭＳＣ／ＳＧＳＮ／Ｖ−ＧＭＬＣ）は、これ（ＭＳＣ／ＳＧＳＮ／Ｖ−ＧＭＬＣ）を介して加入者（ＭＳ）に瞬時に到達可能であり、ＭＳＣ／ＳＧＳＮのようなスイッチング装置であればよく、このＭＳＣ／ＳＧＳＮを介して加入者はまさに遠隔通信し又はこのＭＳＣ／ＳＧＳＮのビジターロケーションレジスタ（ＶＬＲ）にはこの加入者のデータが格納されており、もしくは、このスイッチング装置（ＭＳＣ／ＳＧＳＮ／Ｖ−ＧＭＬＣ）は他の装置（Ｖ−ＧＭＬＣ）であってもよく、この他の装置（Ｖ−ＧＭＬＣ）を介して加入者に直接又は他の装置を介して到達する。
【００１６】
アドレスデータのフォーマットには多くのオプションがあるが、とりわけＭＡＰフォーマットがある（ＭＡＰアドレスは例えばＭＳＣ、ＳＧＳＮ、ＧＭＬＣのためのＩＳＤＮフォーマットにおけるネットワークノードナンバーである）。インターワーキングシナリオのためにも、Ｌｇ及びＬｈインターフェース（及び場合によってはＲｅｌ−６のＬｇ+及びＬｈ+）においてＭＡＰアドレスフォーマットが適している。アドレスデータに対するＩＰアドレスフォーマットは例えばＬｒインターフェースにおいて可能である。
【図面の簡単な説明】
【００１７】
【図１】概略的に古いバージョンのエレメントによるロケーションリクエストの処理のための移動無線ネットワークのコンポーネントと新しいバージョンのエレメントによるロケーションリクエストの処理のための移動無線ネットワークのコンポーネントとの本発明による共働を示す。
【００１８】
【図２】従来技術におけるより古いバージョンのＧＭＬＣ−Ｒ５によるロケーションリクエストの処理を示す。
【００１９】
【図３】より新しいバージョンのＨＬＲ−Ｒ６及びＲ−ＧＭＬＣ  Ｒ６によるロケーションリクエストの処理を示す。
【符号の説明】
【００２０】
ＬＣＳクライアント  ロケーションサービシズクライアント
ＧＭＬＣ  ゲートウェイモバイルロケーションセンタ＝ロケーションリクエスト処理装置
ＨＬＲ  ホームロケーションレジスタ
ＭＳＣ／ＳＧＳＮ／Ｖ−ＧＭＬＣ  スイッチング装置
ＧＭＬＣ−Ｒ５  バージョン５のＧＭＬＣ
ＭＳ  加入者
Ａｃｋ  応答
Ｒ−ＧＭＬＣ  第１のＧＭＬＣ
Ｈ−ＧＭＬＣ  ホームＧＭＬＣ
ＨＬＲ−Ｒ６  ホームデータバンク、加入者データバンク
ＶＬＲ  ビジターロケーションレジスタ
【図１】
2005536165.tif 000003
【図２】
2005536165.tif 000004
【図３】
2005536165.tif 000005
【手続補正書】
【提出日】平成16年3月3日(2004.3.3)
【手続補正１】
【補正対象書類名】特許請求の範囲
【補正対象項目名】全文
【補正方法】変更
【補正の内容】
【特許請求の範囲】
【請求項１】
移動無線ネットワークの加入者に関する位置データリクエスト又はロケーションリクエストの処理のための方法において、
移動無線ネットワークの加入者データバンク（ＨＬＲ）におけるスイッチング装置（ＭＳＣ／ＳＧＳＮ／Ｖ−ＧＭＬＣ）のスイッチング装置アドレスデータ（ＭＡＰ（ＭＳＣ／ＳＧＳＮ／Ｖ−ＧＭＬＣ））をもとめる第１のロケーションリクエスト処理装置（ＧＭＬＣ−Ｒ５）のリクエスト（ＳＲＩ）の到着の後で、
このリクエスト（ＳＲＩ）が、ロケーションリクエスト処理装置（ＧＭＬＣ−Ｒ５）が加入者データバンク（ＨＬＲ）からスイッチング装置アドレスデータ（ＭＡＰ（ＭＳＣ／ＳＧＳＮ））を応答として取得するように規定するバージョン（Ｒ５）のロケーションリクエスト処理装置（ＧＭＬＣ／Ｒ５）のリクエスト（ＳＲＩ）である場合には、
前記加入者データバンク（ＨＬＲ）はこの第１のロケーションリクエスト処理装置（ＧＭＬＣ−Ｒ５）にスイッチング装置アドレスデータ（ＭＡＰ（ＭＳＣ／ＳＧＳＮ））の代わりに応答（ＡＣＫ（ＭＳＣ（ＳＧＳＮ）））において更に別のロケーションリクエスト処理装置（Ｈ−ＧＭＬＣ−Ｒ６）のアドレス（Ｈ−ＨＧＭＬＣ）を表すロケーションリクエスト処理装置アドレスデータ（ＭＡＰ（Ｈ−ＧＭＬＣ）を指示し、
前記スイッチング装置（ＭＳＣ／ＳＧＳＮ／Ｖ−ＧＭＬＣ）を介して加入者（ＭＳ）には瞬時に到達可能である、移動無線ネットワークの加入者に関する位置データリクエスト又はロケーションリクエストの処理のための方法。
【請求項２】
更に別のロケーションリクエスト処理装置（Ｈ−ＧＭＬＣ−Ｒ６）は加入者（ＭＳ）のホームネットワークの中のロケーションリクエスト処理装置であることを特徴とする、請求項１記載の方法。
【請求項３】
更に別のロケーションリクエスト処理装置（Ｈ−ＧＭＬＣ）は加入者（ＭＳ）のプロフィールデータ、とりわけ「プライバシープロフィールデータ」を格納しており、該「プライバシープロフィールデータ」は前記加入者（ＭＳ）に関する「ロケーションリクエスト」が処理及び／又は応答されるべきかどうか及びどのような条件下で処理及び／又は応答されるべきかを指示することを特徴とする、請求項１又は２記載の方法。
【請求項４】
より古いバージョンの第１のロケーションリクエスト処理装置（ＧＭＬＣ−Ｒ５）はリクエスト（ＳＲＩ）を加入者データデータバンク（ＨＬＲ）に前記第１のロケーションリクエスト処理装置（ＧＭＬＣ−Ｒ５）おけるＬＣＳクライアント（ＬＣＳ  ｃｌｉｅｎｔ）のリクエストの入力の後で送信することを特徴とする、請求項１〜３のうちの１項記載の方法。
【請求項５】
第１のロケーションリクエスト処理装置（ＧＭＬＣ−Ｒ５）は指示された更に別のロケーションリクエスト処理装置（Ｈ−ＧＭＬＣ）のアドレス（ＭＡＰ（Ｈ−ＧＭＬＣ）にロケーションリクエストを送信し、この更に別のロケーションリクエスト処理装置（Ｈ−ＧＭＬＣ−Ｒ６）はこのロケーションリクエストをスイッチング装置（ＭＳＣ−ＳＧＳＮ）のアドレスに転送し、該スイッチング装置（ＭＳＣ−ＳＧＳＮ）は加入者データデータバンク（ＨＬＲ  Ｒ６）における前記更に別のロケーションリクエスト処理装置（Ｈ−ＧＭＬＣ−Ｒ６）のリクエスト（ＳＲＩ）に応答して前記加入者データバンク（ＨＬＲ）によって前記更に別のロケーションリクエスト処理装置（Ｈ−ＧＭＬＣ−Ｒ６）に指示されたものであることを特徴とする、請求項１〜４のうちの１項記載の方法。
【請求項６】
リクエスト（ＳＲＩ）は加入者（ＭＳ）を識別する位置確認すべき加入者のデータ（ＩＭＳＩ／ＭＳＩＳＤＮ／ｅｔｃ）を含むことを特徴とする、請求項４項記載の方法。
【請求項７】
ロケーションリクエスト処理装置アドレスデータ（Ｈ−ＨＧＭＬＣ）はスイッチング装置アドレスデータと同じフォーマットを、とりわけＩＳＤＮフォーマット又はＭＡＰデータフォーマットを有することを特徴とする、請求項１〜６のうちの１項記載の方法。
【請求項８】
ロケーションリクエスト処理装置のバージョンは加入者データバンク（ＨＬＲ）によってリクエスト（ＳＲＩ）の拡張されないフォーマットに基づいて識別されることを特徴とする、請求項１〜７のうちの１項記載の方法。
【請求項９】
ロケーションリクエスト処理装置（ＧＭＬＣ−Ｒ５）のバージョンは利用されるＬｈインターフェースに基づいて識別されることを特徴とする、請求項１〜８のうちの１項記載の方法。
【請求項１０】
更に別のロケーションリクエスト処理装置（Ｈ−ＧＭＬＣ−Ｒ６）において、加入者のプロフィールデータはこの加入者に関してロケーションリクエストが実行されるべきかが検査され、この加入者のプロフィールデータに基づいてこの加入者に関するロケーションリクエストが実行されるべきである場合にだけ、前記更に別のロケーションリクエスト処理装置（Ｈ−ＧＭＬＣ−Ｒ６）はこの更に別のロケーションリクエスト処理装置に指示されたスイッチング装置（ＭＳＣ／ＳＧＳＮ）にコンタクトすることを特徴とする、請求項１〜９のうちの１項記載の方法。
【請求項１１】
請求項１〜１０のうちの１項記載の方法の全てのステップを実施するため手段を特徴とする装置。
【手続補正２】
【補正対象書類名】明細書
【補正対象項目名】０００１
【補正方法】変更
【補正の内容】
【０００１】
本発明はスイッチング装置（ＭＳＣ／ＳＧＳＮ）のアドレスに関するリクエスト（ロケーションリクエスト）の処理のための方法及び装置に関し、このスイッチング装置（ＭＳＣ／ＳＧＳＮ）を介して移動無線ネットワークの加入者には瞬時に到達可能である。
ＵＳ−Ａ−６１０４９３２は、ホームロケーションレジスタＨＬＲからＧＭＬＣ（ゲートウェイモバイルロケーションセンタ＝ロケーションリクエスト装置）のリクエストに応じてこのＧＭＬＣにＭＤＣ／ＶＬＲのアドレスが通知される移動無線ネットワークを開示している。このＭＤＣ／ＶＬＲのサービスエリアには移動局ＭＳが存在する。


【国際調査報告】
2005536165.tif 000006
2005536165.tif 000007
2005536165.tif 000008
2005536165.tif 000009
2005536165.tif 000010
2005536165.tif 000011